(57)【要約】【課題】折り機と前処理機の連結を迅速かつ簡単に行うことができ、折り機と前処理機の連結のための手間や労力を低減できるようにすること。【解決手段】折り曲げる用紙の搬入位置に昇降する給紙台６を備えた紙折機であって、最下降した給紙台６と横並びする上面にガイドレール９ａを取付けたコンベア収納台９を設け、そのガイドレール９ａに載せてコンベア８を待機させるとともに、紙折機に前処理機を連結するとき、給紙台６上にガイドレールを取付け、コンベア収納台９に待機させたコンベア８をガイドレールに沿って移動して、給紙台６上に設置する。【選択図】  図１
2010184767.tif 000002
【特許請求の範囲】
【請求項１】
用紙の搬入位置に昇降する給紙台を備えた紙折機において、前記給紙台にガイドレール固定手段を設けるとともに、下降した前記給紙台に並設して上面に収納するコンベアを載置するガイドレールを設けたコンベア収納台を設け、前記紙折機に前処理機を連結するとき、前記給紙台のガイドレール固定手段にガイドレールを固定して前記コンベア収納台上のガイドレールと連接し、前記コンベア収納台上のガイドレール上に収納したコンベアを前記給紙台のガイドレールに沿って移動させて前記給紙台上に設置し、コンベアを設置した給紙台を所定量上昇して、給紙台上のコンベアを前記折機の用紙の搬入位置に設置してなることを特徴とする紙折機の給紙機構。
【発明の詳細な説明】
【技術分野】
【０００１】
本発明は、紙折機の給紙機構に関するものである。
【背景技術】
【０００２】
搬送した用紙の先端を折バックル内に挿入し、折バックルからはみ出す部分から折り曲げ、その折り曲げた部分を先端にして対からなる折ローラ間に挟み込んで折り曲げる紙折機はよく知られている。図５はこのような折バックルによる紙折機の一例を示すもので、この図５において、１は折バックル（図示例では６個）、２は搬入ローラ、３は折ローラ（図示例では７個）、４は用紙搬送ベルト、５は給紙ローラ、６は給紙台、７は給紙台昇降チェーン、Ｐは用紙である。
【０００３】
給紙台６上に集積載置された用紙の最上部の一枚の用紙Ｐを給紙ローラ５により用紙搬送ベルト４上に送り出す。用紙搬送ベルト４上に送り出された用紙は搬入ローラ２と搬入ローラ２と対向する折ローラ３とに挟まれて折バックル１内に挿入される。折バックル１には図示しない折位置を決めるためのストッパが所定の位置に設定されており、挿入された用紙の先端はそのストッパに当接して停止する。用紙搬送ベルト４および搬入ローラ２は駆動が継続されており、折バックル１からはみ出る部分は折り曲げ、その折り曲げ部分を先端にして対からなる折ローラ３に挟まれて折り曲げ、その折り曲げ部分を先端にして次の折バックル１に挿入される。順次これを繰り返して所定数の折が形成される。給紙台７は集積載置された用紙が減少する度、最上部の一枚の用紙が用紙搬送ベルト４上に送り出すことのできる位置まで上昇する。なお、１ａは折り機構部のカバーである。
【先行技術文献】
【特許文献】
【０００４】
【特許文献１】実公平４−３５３３０号公報
【発明の概要】
【発明が解決しようとする課題】
【０００５】
ところで、印刷機などの前処理機で処理した用紙をそのまま紙折機に送ってその用紙を折り曲げる場合がある。この場合、前記のような折り機では、用紙の搬入位置に給紙台があるため、この給紙台を外すなど折り機と前処理機の連結に多くの手間や労力がかかるという課題がある。
【０００６】
発明が解決しようとする課題は、折り機と前処理機の連結を迅速かつ簡単に行うことができ、折り機と前処理機の連結のための手間や労力を低減できるようにする点にある。
【課題を解決するための手段】
【０００７】
上記の課題を解決するために、本発明は、用紙の搬入位置に昇降する給紙台を備えた紙折機において、前記給紙台にガイドレール固定手段を設けるとともに、下降した前記給紙台に並設して上面に収納するコンベアを載置するガイドレールを設けたコンベア収納台を設け、前記紙折機に前処理機を連結するとき、前記給紙台のガイドレール固定手段にガイドレールを固定して前記コンベア収納台上のガイドレールと連接し、前記コンベア収納台上のガイドレール上に収納したコンベアを前記給紙台のガイドレールに沿って移動させて前記給紙台上に設置し、コンベアを設置した給紙台を所定量上昇して、給紙台上のコンベアを前記折機の用紙の搬入位置に設置してなることを特徴とする。
【発明の効果】
【０００８】
本発明は、紙折機に前処理機を連結するときには、給紙台上にガイドレールを固定し、コンベア収納台上に収納したコンベアをガイドレールに沿って移動させて給紙台上に載せ、給紙台を上昇させてコンベアを折機の用紙の搬入位置に設置するので、給紙台を外すような手間を必要とすることなく、紙折機に前処理機を連結することができ、また、コンベアをガイドレールに沿って移動させるので給紙台上に簡単に設置できる。すなわち、折り機と前処理機の連結を迅速かつ労無く簡単に行うことができるといった効果を奏する。
【図面の簡単な説明】
【０００９】
【図１】本発明の実施例１に係る紙折機単独使用状態の構成を示す平面図（ａ）と側面図（ｂ）である。
【図２】図１に示す紙折機と前処理機の連結使用状態を示す平面図（ａ）と側面図（ｂ）である。
【図３】本発明の実施例１に係る紙折機と前処理機の連結機構の説明図である。
【図４】本発明の実施例１に係る紙折機と前処理機の連結機構の説明図である。
【図５】従来の紙折機の構成を示す側面図である。
【実施例１】
【００１０】
本発明の実施例１に係る紙折機について、図１〜図４を参照して説明する。なお、図５に示す従来の紙折機と同一または対応する部分には同一の符号を付し、折動作についての説明は省略する。図１において、６は給紙台、７はモータＭ（図３参照）により駆動される駆動スプロケット７ａと従動スプロケット７ｂに掛け渡されたチェーン、８はコンベアベルト８ａ（図示例は４本）を有するコンベア、９はコンベア収納台、１０は給紙台用断面凹状のガイドレール（図３（ｂ）参照）、１１は印刷機などの前処理機である。コンベアの下面にはキャスター８ｂが取付けられ、また、コンベア収納台の上面には二本の断面凹状のガイドレール９ａとコンベアの有無を検出するセンサ９ｂが取付けられている。
【００１１】
収納台９は、最下降位置の給紙台６と横並びするように設置されており、その上面に取付けたガイドレール９ａの凹内にキャスター８ｂをはめ込んだ状態でコンベア８を載置させている。紙折機を単独で使用する場合には、コンベア８をコンベア収納台９に載置させておき、この状態で給紙台６上に折り曲げる用紙を集積載置し、最上部の一枚の用紙Ｐを給紙ローラ５により用紙搬送ベルト４上に送り出して、その用紙を折バックルと折ローラとにより折り曲げる。この場合は、図５に示す従来の紙折機の使用と同様である。
【００１２】
給紙台６には、図３（ａ）（ｂ）に示すようにほぼ四隅に嵌合孔６ａが形成されており、また、給紙台用凹状のガイドレール１０の下面には、図３（ｂ）に示すように給紙台６の嵌合孔６ａに嵌め込む嵌合突起１０ａが形成されている。紙折機に前処理機を連結し、前処理機から搬出される一枚ごとの用紙を紙折機で折り曲げる場合には、図３（a）に示すように、モータＭを駆動し給紙台６を固定した側のチェーン７を下方に移動し、給紙台６をコンベア収納台９と並べた位置に置く。実際にはコンベア収納台９の高さは給紙台６を最降下したときに給紙台６と段差なく並べられる高さとされ、給紙台６は最下降位置に置く。
【００１３】
そして、適宜箇所に収納した下面に嵌合突起１０ａを形成したガイドレール１０を用意し、図３（ｂ）に示すように、給紙台６の嵌合孔６ａに嵌合突起１０ａを挿入してガイドレール１０を給紙台６の上面に設置する。このとき給紙台６上のガイドレール１０とコンベア収納台９上のガイドレール９aとは段差なく直線状に連接する。その後、図３（ｃ）および図４（a）に示すように、コンベア収納台９上のコンベア８をガイドレール１０に沿って移動させてコンベア８を給紙台６の上に設置する。具体的には、コンベア８の機体に取付けた把手８ｃを掴んで引き入れる。このときコンベア８のキャスタ８ｂはガイドレール９aおよび１０の凹内を転がるので、その引き入れは容易に行うことができる。
【００１４】
その後、図４（b）に示すように、給紙台６を上昇させ、図２（ｂ）に示すように給紙台６上のコンベア８を紙折機の用紙の搬入位置、つまりコンベア８のコンベアベルト８ａと紙折機の用紙搬送ベルト４とが連接する位置に設置する。この設置により、前処理機１１から搬出された用紙は、ベルトコンベア装置８のコンベアベルト８ａ上に搬出され、コンベアベルト８ａ上に搬出された用紙は紙折機の用紙搬送ベルト４上に送り出される。紙折機の用紙搬送ベルト４上に送り出された用紙は折バックル１と折ローラ３とにより折り曲げられる。
【００１５】
前処理機１１から搬出された用紙の折り曲げが終了し、紙折機を単独で使用するときには、給紙台６を下降しコンベア収納台９と並べた位置で停止させる。そして、給紙台６上のコンベア８をコンベア収納台９上のガイドレール９aに沿って移動させてコンベア収納台９上にコンベア８を載せる。その後、給紙台６上のガイドレール１０を取り除き、折り曲げる用紙を給紙台６上に集積載置し、図１（ｂ）に示すように、給紙台６上に集積した最上部の一枚の用紙Ｐが給紙ローラ５により紙折機の用紙搬送ベルト４上に送り出せる位置まで給紙台６を上昇させる。
【符号の説明】
【００１６】
１  折バックル
２  搬入ローラ
３  折ローラ
４  用紙搬送ベルト
５  給紙ローラ
６  給紙台
６a  嵌合孔
７  給紙台昇降チェーン
８  コンベア
８a  コンベアベルト
８ｂ  キャスター
９  コンベア収納台
９a  ガイドレール
１０  ガイドレール
１０a  嵌合突起
１１  前処理機
Ｐ  用紙
【図１】
2010184767.tif 000003
【図２】
2010184767.tif 000004
【図３】
2010184767.tif 000005
【図４】
2010184767.tif 000006
【図５】
2010184767.tif 000007